(57)【要約】【課題】表示画面の上下方向に発生するフリッカを防止する。【解決手段】制御回路２０は、走査信号線駆動回路３０に対してローレベル電圧ＶＧＬと１ライン時間内の傾斜期間Ｔで低下する傾斜付きハイレベル電圧ＶＧＨｘとを供給する。走査信号線駆動回路３０は、走査信号線Ｇ１〜Ｇｎの中から選択した走査信号線には電圧ＶＧＨｘを、非選択の走査信号線には電圧ＶＧＬを印加する。制御回路２０は、選択されている走査信号線が制御回路２０に近いときには、傾斜期間Ｔを長くするか、電圧ＶＧＨｘが低下する速度を速くして、電圧ＶＧＨｘを電圧ＶＧＬにより近づける。これにより、走査信号線間で信号波形を揃え、表示画面の上下方向に発生するフリッカを防止する。【選択図】図３
2008145677.tif 000002
【特許請求の範囲】
【請求項１】
複数の画素回路と複数の走査信号線と複数のデータ信号線とを含む表示パネルと、
前記走査信号線を順に選択する走査信号線駆動回路と、
入力された映像信号に基づき、前記データ信号線を駆動するデータ信号線駆動回路と、
前記走査信号線駆動回路に選択電圧と非選択電圧を供給する制御回路とを備え、
前記制御回路は、１ライン時間内の所定の期間で選択電圧を非選択電圧に近づける制御を行うと共に、選択されている走査信号線の配置位置に応じて当該制御の態様を切り替えることを特徴とする、表示装置。
【請求項２】
前記制御回路は、選択されている走査信号線が前記制御回路に近いときほど、選択電圧を非選択電圧により近づけることを特徴とする、請求項１に記載の表示装置。
【請求項３】
前記制御回路は、選択されている走査信号線の配置位置に応じて、選択電圧を非選択電圧に近づける期間の長さを切り替えることを特徴とする、請求項１に記載の表示装置。
【請求項４】
前記制御回路は、選択されている走査信号線が前記制御回路に近いときほど、選択電圧を非選択電圧に近づける期間を長くすることを特徴とする、請求項３に記載の表示装置。
【請求項５】
前記制御回路は、選択されている走査信号線の配置位置に応じて、選択電圧を非選択電圧に近づける速度を切り替えることを特徴とする、請求項１に記載の表示装置。
【請求項６】
前記制御回路は、選択されている走査信号線が前記制御回路に近いときほど、選択電圧を非選択電圧に近づける速度を速くすることを特徴とする、請求項５に記載の表示装置。
【請求項７】
前記走査信号線駆動回路は、複数の部分に分けて複数の半導体集積回路に内蔵されており、
前記制御回路は、半導体集積回路ごとに異なる態様で非選択電圧に近づく複数の選択電圧を前記走査信号線駆動回路に供給することを特徴とする、請求項１に記載の表示装置。
【請求項８】
複数の画素回路と複数の走査信号線と複数のデータ信号線とを含む表示パネルと、
前記走査信号線を順に選択する走査信号線駆動回路と、
入力された映像信号に基づき、前記データ信号線を駆動するデータ信号線駆動回路と、
前記走査信号線駆動回路に対して、少なくとも一方を変化させながら選択電圧と非選択電圧を供給する制御回路とを備え、
前記走査信号線駆動回路は、複数の部分に分けて複数の半導体集積回路に内蔵されており、
前記表示パネルには、前記制御回路と前記走査信号線駆動回路の各部分とを直列に接続するために、前記制御回路から遠いほど太くなるパネル内配線が設けられていることを特徴とする、表示装置。
【請求項９】
前記表示パネルが液晶パネルであることを特徴とする、請求項１〜８のいずれかに記載の表示装置。
【発明の詳細な説明】
【技術分野】
【０００１】
本発明は、液晶表示装置などの表示装置に関し、特に、走査信号線の信号波形を鈍らせる駆動を行う表示装置に関する。
【背景技術】
【０００２】
液晶表示装置の表示画面には、フリッカと呼ばれるちらつきが発生することがある。そこで従来から、フリッカを防止する方法が多数考案されている。例えば、表示画面の左右方向に発生するフリッカを防止する方法として、走査信号線の信号波形を鈍らせる駆動（以下、傾斜駆動という）が知られている。
【０００３】
図１０に示すように走査信号線Ｇｉとデータ信号線Ｓｊを備えた液晶パネル８０には、走査信号線の配線抵抗Ｒｇや、走査信号線−データ信号線間のカップリング容量Ｃｇｓなどが存在する。このため、走査信号線駆動回路８１が走査信号線Ｇｉの一端（Ａ点）に矩形状の信号波形を与えても、走査信号線Ｇｉの他端（Ｂ点）では信号波形は鈍る。
【０００４】
また、液晶表示装置では、ＴＦＴ（Thin Film Transistor）がオン状態からオフ状態に変化するときに、いわゆる引き込みによって液晶電圧が低下する。例えば図１１に示す画素回路では、引き込みによる液晶電圧の低下量ΔＶは次式（１）で与えられる。
ΔＶ＝Ｃｇｄ／（Ｃｇｄ＋Ｃｌｃ）×（ＶＧＨ−ＶＧＬ）
ただし、上式（１）において、ＣｇｄはＴＦＴ８２のゲート−ドレイン間の寄生容量、Ｃｌｃは液晶容量、ＶＧＨは走査信号線Ｇｉのハイレベル電圧、ＶＧＬは走査信号線Ｇｉのローレベル電圧である。
【０００５】
走査信号線の電圧が急峻に変化する場合には、液晶電圧の低下量は上式（１）に従う。ところが、走査信号線の電圧が緩慢に変化する場合には、走査信号線の電圧がＴＦＴの閾値電圧を超えている間は上記の電圧低下は起こらないので、液晶電圧の低下量は上式（１）で算出される量よりも小さくなる。このため、走査信号線駆動回路に近い画素回路では、走査信号線の信号波形はあまり鈍らないので、液晶電圧はほぼ予想した分だけ低下するが、走査信号線駆動回路から遠い画素回路では、走査信号線の信号波形はかなり鈍るので、液晶電圧は予想よりも小さく低下する。このように表示画面の左右で液晶電圧の低下量が異なる液晶表示装置について、表示画面の中央でフリッカが発生しないように対向電圧を決定すると、表示画面の左右では対向電圧が最適値からずれて、フリッカが発生する。
【０００６】
そこで傾斜駆動では、表示画面の左右方向に発生するフリッカを防止するために、走査信号線の信号波形として予め鈍らせた信号波形が用いられる（図１２を参照）。図１２に示す信号波形では、１ライン時間の終端にある所定の期間Ｔにおいて、走査信号線の電圧はハイレベル電圧ＶＧＨからローレベル電圧ＶＧＬに近づく。走査信号線の電圧が図１２に示すように変化すると、走査信号線駆動回路に近い画素回路と走査信号線駆動回路から遠い画素回路とで、液晶電圧の低下量の差が小さくなる。したがって、表示画面の中央でフリッカが発生しないように対向電圧を決定すれば、表示画面の左右でも対向電圧は最適値にほぼ一致する。このように傾斜駆動によれば、走査信号線内で信号波形を揃えることにより、表示画面の左右方向に発生するフリッカを防止することができる。傾斜駆動については、例えば特許文献１に開示されている。
【特許文献１】特開平１１−２８１９５７号公報
【発明の開示】
【発明が解決しようとする課題】
【０００７】
しかしながら、傾斜駆動を行う従来の液晶表示装置では、表示画面の上下方向にフリッカが発生することがある。以下、その理由を説明する。例えば図１３に示す液晶表示装置では、制御基板９０に実装された制御回路９１は、走査信号線駆動ＬＳＩ９４に対して、ローレベル電圧ＶＧＬと図１４に示すように変化するハイレベル電圧ＶＧＨｘとを供給する。これらの電圧の供給は、共通基板９２、データ信号線駆動ＬＳＩ９６が実装されたフィルム９５、液晶パネル８０、および、走査信号線駆動ＬＳＩ９４が実装されたフィルム９３などに設けられた配線を用いて行われる。これらの電圧の供給には、液晶パネル８０に設けられたパネル内配線９７も用いられる。
【０００８】
ところが、パネル内配線９７は液晶パネル８０のガラス基板に形成されているので、配線抵抗が大きい。このため、制御回路９１から遠い部分では、ハイレベル電圧ＶＧＨｘの波形は鈍り、これに伴い走査信号線の信号波形も鈍る。図１３に示す例では、走査信号線Ｇ１の信号波形はあまり鈍らないが、走査信号線Ｇｍの信号波形はかなり鈍る。上述したように、走査信号線の信号波形が異なる部分にはフリッカが発生する。したがって、傾斜駆動を行う従来の液晶表示装置では、表示画面の中央でフリッカが発生しないように対向電圧を決定すると、表示画面の上下では対向電圧が最適値からずれて、フリッカが発生する。このフリッカは、液晶パネルが大型になるほど発生しやすくなる。
【０００９】
それ故に、本発明は、表示画面の上下方向に発生するフリッカを防止した表示装置を提供することを目的とする。
【課題を解決するための手段】
【００１０】
第１の発明は、
複数の画素回路と複数の走査信号線と複数のデータ信号線とを含む表示パネルと、
前記走査信号線を順に選択する走査信号線駆動回路と、
入力された映像信号に基づき、前記データ信号線を駆動するデータ信号線駆動回路と、
前記走査信号線駆動回路に選択電圧と非選択電圧を供給する制御回路とを備え、
前記制御回路は、１ライン時間内の所定の期間で選択電圧を非選択電圧に近づける制御を行うと共に、選択されている走査信号線の配置位置に応じて当該制御の態様を切り替えることを特徴とする。
【００１１】
第２の発明は、第１の発明において、
前記制御回路は、選択されている走査信号線が前記制御回路に近いときほど、選択電圧を非選択電圧により近づけることを特徴とする。
【００１２】
第３の発明は、第１の発明において、
前記制御回路は、選択されている走査信号線の配置位置に応じて、選択電圧を非選択電圧に近づける期間の長さを切り替えることを特徴とする。
【００１３】
第４の発明は、第３の発明において、
前記制御回路は、選択されている走査信号線が前記制御回路に近いときほど、選択電圧を非選択電圧に近づける期間を長くすることを特徴とする。
【００１４】
第５の発明は、第１の発明において、
前記制御回路は、選択されている走査信号線の配置位置に応じて、選択電圧を非選択電圧に近づける速度を切り替えることを特徴とする。
【００１５】
第６の発明は、第５の発明において、
前記制御回路は、選択されている走査信号線が前記制御回路に近いときほど、選択電圧を非選択電圧に近づける速度を速くすることを特徴とする。
【００１６】
第７の発明は、第１の発明において、
前記走査信号線駆動回路は、複数の部分に分けて複数の半導体集積回路に内蔵されており、
前記制御回路は、半導体集積回路ごとに異なる態様で非選択電圧に近づく複数の選択電圧を前記走査信号線駆動回路に供給することを特徴とする。
【００１７】
第８の発明は、
複数の画素回路と複数の走査信号線と複数のデータ信号線とを含む表示パネルと、
前記走査信号線を順に選択する走査信号線駆動回路と、
入力された映像信号に基づき、前記データ信号線を駆動するデータ信号線駆動回路と、
前記走査信号線駆動回路に対して、少なくとも一方を変化させながら選択電圧と非選択電圧を供給する制御回路とを備え、
前記走査信号線駆動回路は、複数の部分に分けて複数の半導体集積回路に内蔵されており、
前記表示パネルには、前記制御回路と前記走査信号線駆動回路の各部分とを直列に接続するために、前記制御回路から遠いほど太くなるパネル内配線が設けられていることを特徴とする。
【００１８】
第９の発明は、第１〜第８のいずれかの発明において、
前記表示パネルが液晶パネルであることを特徴とする。
【発明の効果】
【００１９】
上記第１の発明によれば、走査信号線の配置位置に応じて走査信号線の信号波形が鈍る程度を切り替え、走査信号線間で信号波形を揃えることができる。これにより、走査信号線間で信号波形が異なるために表示画面の上下方向に発生するフリッカを防止することができる。
【００２０】
上記第２の発明によれば、元々は鈍りにくい、制御回路に近い走査信号線の信号波形を多く鈍らせ、元々は鈍りやすい、制御回路に近い走査信号線の信号波形を少なく鈍らせることができる。これにより、走査信号線間で信号波形を揃え、表示画面の上下方向に発生するフリッカを防止することができる。
【００２１】
上記第３の発明によれば、走査信号線の配置位置に応じて選択電圧を非選択電圧に近づける期間の長さを切り替えることにより、走査信号線の配置位置に応じて走査信号線の信号波形が鈍る程度を切り替えることができる。これにより、走査信号線間で信号波形を揃え、表示画面の上下方向に発生するフリッカを防止することができる。
【００２２】
上記第４の発明によれば、選択電圧を非選択電圧に近づける期間は、信号波形が元々は鈍りにくい、制御回路に近い走査信号線については長くなり、信号波形が元々は鈍りやすい、制御回路に近い走査信号線については短くなる。これにより、走査信号線間で信号波形を揃え、表示画面の上下方向に発生するフリッカを防止することができる。
【００２３】
上記第５の発明によれば、走査信号線の配置位置に応じて選択電圧を非選択電圧に近づける速度を切り替えることにより、走査信号線の配置位置に応じて走査信号線の信号波形が鈍る程度を切り替えることができる。これにより、走査信号線間で信号波形を揃え、表示画面の上下方向に発生するフリッカを防止することができる。
【００２４】
上記第６の発明によれば、選択電圧を非選択電圧に近づける速度は、信号波形が元々は鈍りにくい、制御回路に近い走査信号線については速くなり、信号波形が元々は鈍りやすい、制御回路に近い走査信号線については遅くなる。これにより、走査信号線間で信号波形を揃え、表示画面の上下方向に発生するフリッカを防止することができる。
【００２５】
上記第７の発明によれば、半導体集積回路ごとに選択電圧が非選択電圧に近づく態様を切り替えることにより、半導体集積回路ごとに走査信号線の信号波形が鈍る程度を切り替えることができる。これにより、異なる半導体集積回路によって駆動される走査信号線間で信号波形を揃え、表示画面の上下方向に発生するフリッカを防止することができる。
【００２６】
上記第８の発明によれば、制御回路から遠いほどパネル内配線は太くなるので、制御回路から遠いパネル内配線の信号伝搬遅延は小さくなる。これにより、走査信号線間で信号波形を揃え、走査信号線間で信号波形が異なるために表示画面の上下方向に発生するフリッカを防止することができる。
【００２７】
上記第９の発明によれば、表示画面の上下方向に発生するフリッカを防止した液晶表示装置を得ることができる。
【発明を実施するための最良の形態】
【００２８】
図１は、本発明の第１〜第５の実施形態に係る液晶表示装置の構成を示すブロック図である。第１〜第５の実施形態に係る液晶表示装置は、図１に示すように、液晶パネル１０、制御回路２０、走査信号線駆動回路３０、および、データ信号線駆動回路４０を備えている。以下、ｍ、ｎは２以上の整数、ｉは１以上ｍ以下の整数であるとする。
【００２９】
液晶パネル１０は、（ｍ×ｎ）個の画素回路１１、ｍ本の走査信号線Ｇ１〜Ｇｍ、および、ｎ本のデータ信号線Ｓ１〜Ｓｎを備えている。走査信号線Ｇ１〜Ｇｍは互いに平行に配置され、データ信号線Ｓ１〜Ｓｎは走査信号線Ｇ１〜Ｇｍと直交するように互いに平行に配置される。画素回路１１は、走査信号線Ｇ１〜Ｇｍとデータ信号線Ｓ１〜Ｓｎの各交点に対応して配置される。
【００３０】
液晶表示装置には、制御信号（水平同期信号ＨＳＹＮＣや垂直同期信号ＶＳＹＮＣなど）と映像信号Ｄｉｎとが入力される。制御回路２０は、入力された制御信号に基づき、走査信号線駆動回路３０に対するタイミング制御信号Ｃ１と、データ信号線駆動回路４０に対するタイミング制御信号Ｃ２とを出力すると共に、入力された映像信号Ｄｉｎをタイミング制御信号Ｃ２に同期させてデータ信号線駆動回路４０に出力する。
【００３１】
走査信号線駆動回路３０は、タイミング制御信号Ｃ１に基づき、走査信号線Ｇ１〜Ｇｍを駆動する。より詳細には、走査信号線駆動回路３０は、タイミング制御信号Ｃ１に基づき走査信号線Ｇ１〜Ｇｍを１本ずつ順に選択し、選択した走査信号線には所定レベルの電圧を、非選択の走査信号線にはそれ以外のレベルの電圧を印加する。以下、走査信号線駆動回路３０は、選択した走査信号線には選択電圧としてハイレベル電圧ＶＧＨを印加し、非選択の走査信号線には非選択電圧としてローレベル電圧ＶＧＬを印加するものとする。走査信号線駆動回路３０の作用により、選択された走査信号線に対応した１行分の画素回路１１が選択される。
【００３２】
データ信号線駆動回路４０は、タイミング制御信号Ｃ２および映像信号Ｄｉｎに基づき、データ信号線Ｓ１〜Ｓｎを駆動する。より詳細には、データ信号線駆動回路４０は、線順次方式あるいは点順次方式に従い、映像信号Ｄｉｎに応じた階調電圧をデータ信号線Ｓ１〜Ｓｎに印加する。データ信号線駆動回路４０の作用により、選択された１行分の画素回路１１に対して、映像信号Ｄｉｎに応じた階調電圧が書き込まれる。
【００３３】
制御回路２０は、上述したタイミング制御信号と映像信号の出力機能に加えて、電源供給機能を有している。このため制御回路２０は、電源回路２１と傾斜制御部２２を備えている。電源回路２１は、液晶表示装置の外部から供給された電源電圧（図示せず）に基づき、液晶表示装置を動作させるために必要な各種の電圧を生成する。走査信号線駆動回路３０で必要とされるハイレベル電圧ＶＧＨとローレベル電圧ＶＧＬも、電源回路２１で生成される。ただし、電源回路２１で生成されたハイレベル電圧ＶＧＨは、傾斜制御部２２経由で走査信号線駆動回路３０に供給される。以下、電源回路２１から傾斜制御部２２経由で供給される電圧を「傾斜付きハイレベル電圧ＶＧＨｘ」という。
【００３４】
走査信号線駆動回路３０は、ｍ本の走査信号線Ｇ１〜Ｇｍを駆動するために、細長い領域に配置される。以下の説明では、制御回路２０から走査信号線駆動回路３０に供給される２種類の電圧は、走査信号線Ｇ１に近い側（走査信号線Ｇｍから遠い側）から供給されるものとする。
【００３５】
第１〜第４の実施形態に係る液晶表示装置は、傾斜制御部２２の構成に特徴があり、第５の実施形態に係る液晶表示装置は、液晶パネル１０の構成に特徴がある。以下、各実施形態に係る液晶表示装置の特徴を説明する。
【００３６】
（第１の実施形態）
図２は、本発明の第１の実施形態に係る液晶表示装置に含まれる傾斜制御部と走査信号線駆動回路の詳細を示す図である。図２に示す走査信号線駆動回路３０ｐは、ｍ段のシフトレジスタ３１とｍ個のアナログスイッチ３２を備えている。シフトレジスタ３１の各段とｍ個のアナログスイッチ３２は、ｍ本の走査信号線Ｇ１〜Ｇｍに対応する。
【００３７】
制御回路２０から走査信号線駆動回路３０ｐに出力されるタイミング制御信号Ｃ１には、１ライン時間内にハイレベルとローレベルに変化するゲートクロックＧＣＫと、１フレーム時間内で１ライン時間だけハイレベルとなるゲートスタートパルスＧＳＰとが含まれている。シフトレジスタ３１は、ゲートクロックＧＣＫに従い、ゲートスタートパルスＧＳＰを１段ずつシフトさせる。これにより、シフトレジスタ３１の各段の出力信号は、１ライン時間に１個ずつ順にハイレベルとなる。以下、シフトレジスタ３１のｉ段目の出力信号を「出力切替信号ｇｉ」という。
【００３８】
アナログスイッチ３２には、シフトレジスタ３１の各段の出力信号と、電源回路２１から供給されたローレベル電圧ＶＧＬと、電源回路２１から傾斜制御部２２経由で供給された傾斜付きハイレベル電圧ＶＧＨｘとが入力される。ｉ番目のアナログスイッチ３２は、出力切替信号ｇｉがハイレベルのときには傾斜付きハイレベル電圧ＶＧＨｘを、出力切替信号ｇｉがローレベルのときにはローレベル電圧ＶＧＬを選択し、選択した電圧を走査信号線Ｇｉに印加する。
【００３９】
傾斜制御部２２ｐは、傾斜期間制御部５１、スイッチ５２、および、抵抗５３を備えている。傾斜制御部２２ｐにはハイレベル電圧ＶＧＨが入力され、傾斜制御部２２ｐからは傾斜付きハイレベル電圧ＶＧＨｘが出力される。ハイレベル電圧ＶＧＨの入力端子と傾斜付きハイレベル電圧ＶＧＨｘの出力端子とは、１本の配線（以下、配線Ｗという）を用いて接続される。スイッチ５２と抵抗５３は直列に接続され、両者を直列に接続した回路は配線Ｗと接地の間に設けられる。
【００４０】
傾斜期間制御部５１は、通常時はローレベルで、１ライン時間の終端にある所定の期間Ｔ（以下、傾斜期間という）においてハイレベルとなる傾斜制御信号ＳＣを出力する。傾斜制御信号ＳＣはスイッチ５２の制御端子に与えられ、スイッチ５２は傾斜制御信号ＳＣによって制御される。図２に示す例では、傾斜制御信号ＳＣがローレベルのとき、スイッチ５２はオフ状態となる。このとき、抵抗５３には電流が流れないので、傾斜付きハイレベル電圧ＶＧＨｘはハイレベル電圧ＶＧＨに一致する。これに対して傾斜制御信号ＳＣがハイレベルのときには、スイッチ５２はオン状態となる。このとき、抵抗５３の抵抗値に応じた量の電流が配線Ｗから抵抗５３経由で流れるので、傾斜付きハイレベル電圧ＶＧＨｘはハイレベル電圧ＶＧＨから低下してローレベル電圧ＶＧＬに近づく。このように、傾斜付きハイレベル電圧ＶＧＨｘは、傾斜期間外ではハイレベル電圧ＶＧＨに一致し、傾斜期間ではローレベル電圧ＶＧＬに近づく。
【００４１】
傾斜期間制御部５１には、選択している走査信号線のライン番号ＬＮが与えられる。傾斜期間制御部５１は、ライン番号ＬＮに基づき傾斜期間の長さを切り替える。具体的には、傾斜期間制御部５１は、ライン番号ＬＮが小さいときには傾斜期間を長くし、ライン番号ＬＮが大きいときには傾斜期間を短くする。傾斜期間制御部５１は、ライン番号ＬＮごとに傾斜期間の長さを切り替えてもよく、ライン番号ＬＮが所定数だけ変化したときに傾斜期間の長さを切り替えてもよい。また、傾斜期間の長さの変化量は任意でよい。
【００４２】
図３は、第１の実施形態に係る液晶表示装置の信号波形図である。図３に示す信号波形図では、ゲートクロックＧＣＫの１周期が１ライン時間に相当する（以下の信号波形図でも同じ）。１フレーム時間内の最初の１ライン時間では出力切替信号ｇ１がハイレベルとなり、以降の各ライン時間では出力切替信号ｇ２〜ｇｍが１本ずつ順にハイレベルとなる。走査信号線Ｇ１の電圧は、出力切替信号ｇ１がローレベルのときにはローレベル電圧ＶＧＬとなり、出力切替信号ｇ１がハイレベルのときにはハイレベル電圧ＶＧＨとなる。ただし、出力切替信号ｇ１がハイレベルである間に傾斜制御信号ＳＣがハイレベルになると、走査信号線Ｇ１の電圧は抵抗５３の抵抗値に応じた速度でハイレベル電圧ＶＧＨから低下し、ローレベル電圧ＶＧＬに近づく。このように、走査信号線Ｇ１の信号波形の立ち下がり部分には傾斜が付けられる。
【００４３】
走査信号線Ｇ２〜Ｇｍの電圧も走査信号線Ｇ１の電圧と同様に変化し、走査信号線Ｇ２〜Ｇｍの信号波形の立ち下がり部分にも同じ傾きの傾斜が付けられる。上述したように、傾斜期間制御部５１は、ライン番号ＬＮが小さいときほど傾斜期間を長くする。したがって、制御回路２０に近い走査信号線Ｇｉの電圧は、傾斜期間でより多く低下してローレベル電圧ＶＧＬにより近づく。
【００４４】
図１に示す液晶表示装置では、ライン番号ＬＮが小さく、制御回路２０に近い走査信号線の信号波形は鈍りにくいが、ライン番号ＬＮが大きく、制御回路２０から遠い走査信号線の信号波形は鈍りやすい。
【００４５】
そこで、本実施形態に係る液晶表示装置は、信号波形が元々は鈍りにくい、制御回路２０に近い走査信号線については、傾斜期間を長くして信号波形を多く鈍らせる一方で、信号波形が元々は鈍りやすい、制御回路２０から遠い走査信号線については、傾斜期間を短くして信号波形を少なく鈍らせる。この際、走査信号線の信号波形が元々鈍る程度に応じて傾斜期間の長さを好適に決定すれば、走査信号線間で信号波形を揃えることができる。したがって、本実施形態に係る液晶表示装置によれば、走査信号線間で信号波形が異なるために表示画面の上下方向に発生するフリッカを防止することができる。
【００４６】
（第２の実施形態）
図４は、本発明の第２の実施形態に係る液晶表示装置に含まれる傾斜制御部と走査信号線駆動回路の詳細を示す図である。図４に示す走査信号線駆動回路３０ｐは、第１の実施形態で説明したものと同じであるので、ここでは説明を省略する。第２〜第４の実施形態では、出力切替信号ｇａ〜ｇｄと走査信号線Ｇａ〜Ｇｄの添字ａ〜ｄは、順に１、ｍ／４より大きい最小の整数、ｍ／２より大きい最小の整数、および、３ｍ／４より大きい最小の整数を表す。
【００４７】
傾斜制御部２２ｑは、傾斜期間制御部５４、スイッチ５５、４個の抵抗５６ａ〜ｄ、および、抵抗選択回路５７を備えている。抵抗選択回路５７は、４個の入力端子と１個の出力端子を有する。抵抗選択回路５７の出力端子は、配線Ｗ（ハイレベル電圧ＶＧＨの入力端子と傾斜付きハイレベル電圧ＶＧＨｘの出力端子を結ぶ配線）に接続され、４個の入力端子はそれぞれ抵抗５６ａ〜ｄの一端に接続される。抵抗５６ａ〜ｄの他端はスイッチ５５の一端に共通して接続され、スイッチ５５の他端は接地される。抵抗５６ａ〜ｄの抵抗値は、抵抗５６ａ、５６ｂ、５６ｃ、５６ｄの順に大きくなるものとする。
【００４８】
傾斜期間制御部５４は、第１の実施形態に係る傾斜期間制御部５１と同様に、通常時はローレベルで、傾斜期間ではハイレベルとなる傾斜制御信号ＳＣを出力する。ただし、傾斜期間制御部５４は、傾斜期間制御部５１とは異なり、傾斜期間の長さを切り替える機能を有していない。傾斜制御信号ＳＣはスイッチ５５の制御端子に与えられ、スイッチ５５は傾斜制御信号ＳＣによって制御される。
【００４９】
抵抗選択回路５７には、選択している走査信号線のライン番号ＬＮが与えられる。抵抗選択回路５７は、ライン番号ＬＮに基づき、抵抗５６ａ〜ｄのうちのいずれかを配線Ｗに接続する。具体的には、抵抗選択回路５７は、ＬＮ≧ｍ／４のときには抵抗５６ａを、ｍ／４＜ＬＮ≦ｍ／２のときには抵抗５６ｂを、ｍ／２＜ＬＮ≦３ｍ／４のときには抵抗５６ｃを、ＬＮ＞３ｍ／４のときには抵抗５６ｄを選択して、配線Ｗに接続する。
【００５０】
図５は、第２の実施形態に係る液晶表示装置の信号波形図である。第１の実施形態と同様に、走査信号線Ｇ１〜Ｇｍの信号波形の立ち下がり部分には傾斜が付けられる。本実施形態では、第１の実施形態とは異なり、ライン番号ＬＮが変化しても傾斜期間の長さは変わらないが、ライン番号ＬＮが変化すると配線Ｗに接続される抵抗の抵抗値が４段階に切り替わる。
【００５１】
ＬＮ≧ｍ／４を満たすライン時間では、抵抗値が最も小さい抵抗５６ａが選択される。このとき、傾斜制御信号ＳＣがハイレベルとなりスイッチ５５がオン状態になると、抵抗５６ａの抵抗値に応じて相対的に大きな電流が配線Ｗから抵抗５６ａ経由で流れる。したがって、傾斜付きハイレベル電圧ＶＧＨｘは、相対的に速い速度でハイレベル電圧ＶＧＨから低下してローレベル電圧ＶＧＬに近づく。
【００５２】
これに対して、ＬＮ＜３ｍ／４を満たすライン時間では、抵抗値が最も大きい抵抗５６ｄが選択される。このとき、傾斜制御信号ＳＣがハイレベルとなりスイッチ５５がオン状態になると、抵抗５６ｄの抵抗値に応じて相対的に小さな電流が配線Ｗから抵抗５６ｄ経由で流れる。したがって、傾斜付きハイレベル電圧ＶＧＨｘは、相対的に遅い速度でハイレベル電圧ＶＧＨから低下してローレベル電圧ＶＧＬに近づく。
【００５３】
ｍ／４＜ＬＮ≦ｍ／２を満たすライン時間、および、ｍ／２＜ＬＮ≦３ｍ／４を満たすライン時間では、傾斜付きハイレベル電圧ＶＧＨｘは、上記２つの場合の間の速度でハイレベル電圧ＶＧＨから低下してローレベル電圧ＶＧＬに近づく。
【００５４】
以上に示すように、本実施形態に係る液晶表示装置は、信号波形が元々は鈍りにくい、制御回路２０に近い走査信号線については、傾斜付きハイレベル電圧が低下する速度を速くして信号波形を多く鈍らせる一方で、信号波形が元々は鈍りやすい、制御回路２０から遠い走査信号線については、傾斜付きハイレベル電圧が低下する速度を遅くして信号波形を少なく鈍らせる。この際、走査信号線の信号波形が元々鈍る程度に応じて傾斜付きハイレベル電圧が低下する速度を好適に決定すれば、走査信号線間で信号波形を揃えることができる。したがって、本実施形態に係る液晶表示装置によれば、第１の実施形態と同様に、走査信号線間で信号波形が異なるために表示画面の上下方向に発生するフリッカを防止することができる。
【００５５】
（第３の実施形態）
図６は、本発明の第３の実施形態に係る液晶表示装置に含まれる傾斜制御部と走査信号線駆動回路の詳細を示す図である。図６に示す走査信号線駆動回路３０ｒは、第１の実施形態に係る走査信号線駆動回路３０ｐと同様に、ｍ段のシフトレジスタ３１とｍ個のアナログスイッチ３２を備えている。走査信号線駆動回路３０ｒは、４個の部分に分けて４個の走査信号線駆動ＬＳＩ３３ａ〜ｄに内蔵されている。
【００５６】
傾斜制御部２２ｒは、傾斜期間制御部６１、４個のスイッチ６２ａ〜ｄ、および、４個の抵抗６３ａ〜ｄを備えている。傾斜制御部２２ｒは、ハイレベル電圧ＶＧＨの入力端子と傾斜付きハイレベル電圧の出力端子を４個ずつ備えている。傾斜制御部２２ｒから出力される４種類の傾斜付きハイレベル電圧ＶＧＨａ〜ｄは、それぞれ、走査信号線駆動ＬＳＩ３３ａ〜ｄに供給される。
【００５７】
ハイレベル電圧ＶＧＨの４個の入力端子と傾斜付きハイレベル電圧ＶＧＨａ〜ｄの４個の出力端子とは、４本の配線（以下、配線Ｗａ〜ｄという）を用いて１対１に接続される。スイッチ６２ａと抵抗６３ａは直列に接続され、両者を直列に接続した回路は配線Ｗａと接地の間に設けられる。同様に、スイッチ６２ｂ〜ｄと抵抗６３ｂ〜ｄはそれぞれ直列に接続され、両者を直列に接続した回路はそれぞれ配線Ｗｂ〜ｄと接地の間に設けられる。本実施形態では、抵抗６３ａ〜ｄの抵抗値は同じである。
【００５８】
傾斜期間制御部６１には、選択している走査信号線のライン番号ＬＮが与えられる。傾斜期間制御部６１は、ライン番号ＬＮに基づき、４本の傾斜制御信号ＳＣａ〜ｄを出力する。傾斜制御信号ＳＣａ〜ｄは、いずれも通常時はローレベルである。傾斜制御信号ＳＣａは、ＬＮ≧ｍ／４を満たすライン時間の傾斜期間でハイレベルとなる。傾斜制御信号ＳＣｂは、ｍ／４＜ＬＮ≦ｍ／２を満たすライン時間の傾斜期間ではハイレベルとなる。傾斜制御信号ＳＣｃは、ｍ／２＜ＬＮ≦３ｍ／４を満たすライン時間の傾斜期間ではハイレベルとなる。傾斜制御信号ＳＣｄは、ＬＮ＞３ｍ／４を満たすライン時間の傾斜期間ではハイレベルとなる。
【００５９】
また、傾斜期間制御部６１は、ライン番号ＬＮに基づき、傾斜期間の長さを切り替える。具体的には、傾斜期間制御部６１は、ＬＮ≧ｍ／４を満たすライン時間では傾斜期間を最も長くし、ｍ／４＜ＬＮ≦ｍ／２を満たすライン時間では傾斜期間をそれよりも短くし、ｍ／２＜ＬＮ≦３ｍ／４を満たすライン時間では傾斜期間をさらに短くし、ＬＮ＞３ｍ／４を満たすライン時間では傾斜期間を最も短くする。
【００６０】
図７は、第３の実施形態に係る液晶表示装置の信号波形図である。第１および第２の実施形態と同様に、走査信号線Ｇ１〜Ｇｍの信号波形の立ち下がり部分には傾斜が付けられる。本実施形態では、傾斜付きハイレベル電圧が低下する速度は同じであるが、傾斜期間の長さは走査信号線駆動ＬＳＩ３３ａ〜ｄごとに４段階に切り替わる。また、選択されている走査信号線が制御回路２０に近いときほど、傾斜期間は長くなる。したがって、制御回路２０に近い走査信号線Ｇｉの電圧は、傾斜期間でより多く低下してローレベル電圧ＶＧＬにより近づく。
【００６１】
このように本実施形態に係る液晶表示装置は、走査信号線駆動ＬＳＩごとに傾斜期間の長さを切り替えることにより、走査信号線駆動ＬＳＩごとに走査信号線の信号波形が鈍る程度を切り替える。この際、走査信号線の信号波形が元々鈍る程度に応じて傾斜期間の長さを好適に決定すれば、異なる走査信号線駆動ＬＳＩによって駆動される走査信号線間で信号波形を揃えることができる。したがって、本実施形態に係る液晶表示装置によれば、第１の実施形態と同様に、走査信号線間で信号波形が異なるために表示画面の上下方向に発生するフリッカを防止することができる。
【００６２】
（第４の実施形態）
本発明の第４の実施形態に係る液晶表示装置は、第３の実施形態に係る液晶表示装置と同じ構成を有する（図６を参照）。第４の実施形態は、第３の実施形態と、（１）傾斜期間制御部６１は傾斜期間の長さを切り替える機能を有していない、（２）抵抗６３ａ〜ｄの抵抗値は抵抗６３ａ、６３ｂ、６３ｃ、６３ｄの順に大きくなる、の２点で相違する。
【００６３】
図８は、第４の実施形態に係る液晶表示装置の信号波形図である。第１〜第３の実施形態と同様に、走査信号線Ｇ１〜Ｇｍの信号波形の立ち下がり部分には傾斜が付けられる。本実施形態では、傾斜期間の長さは同じであるが、傾斜付きハイレベル電圧が低下する速度は走査信号線駆動ＬＳＩ３３ａ〜ｄごとに４段階に切り替わる。また、選択されている走査信号線が制御回路２０に近いときほど、傾斜付きハイレベル電圧が低下する速度は速くなる。したがって、制御回路２０に近い走査信号線Ｇｉの電圧は、傾斜期間でより多く低下してローレベル電圧ＶＧＬにより近づく。
【００６４】
このように本実施形態に係る液晶表示装置は、走査信号線駆動ＬＳＩごとに傾斜付きハイレベル電圧が低下する速度を切り替えることにより、走査信号線駆動ＬＳＩごとに走査信号線の信号波形が鈍る程度を切り替える。この際、走査信号線の信号波形が元々鈍る程度に応じて傾斜付きハイレベル電圧が低下する速度を好適に決定すれば、異なる走査信号線駆動ＬＳＩによって駆動される走査信号線間で信号波形を揃えることができる。したがって、本実施形態に係る液晶表示装置によれば、第２の実施形態と同様に、走査信号線間で信号波形が異なるために表示画面の上下方向に発生するフリッカを防止することができる。
【００６５】
（第５の実施形態）
図９は、本発明の第５の実施形態に係る液晶表示装置の実装形態を示す図である。図１に示す液晶表示装置の構成要素のうち、走査信号線駆動回路３０は、４つの部分に分けて４個の走査信号線駆動ＬＳＩ７４に内蔵されている。データ信号線駆動回路４０は、５つの部分に分けて５個のデータ信号線駆動ＬＳＩ７６に内蔵されている。
【００６６】
制御回路２０は、制御基板７１に実装される。走査信号線駆動ＬＳＩ７４はフィルム７３に実装され、フィルム７３は液晶パネル１０の一辺（図１０では縦方向の辺）に添って配置される。データ信号線駆動ＬＳＩ７６はフィルム７５に実装され、フィルム７５は液晶パネル１０の他辺（図１０では横方向の辺）に添って共通基板７２と液晶パネル１０の間に配置される。
【００６７】
制御回路２０は、走査信号線駆動ＬＳＩ７４に対して、傾斜付きハイレベル電圧ＶＧＨｘとローレベル電圧ＶＧＬを供給する。これらの電圧の供給は、共通基板７２、データ信号線駆動ＬＳＩ７６が実装されたフィルム７５、液晶パネル１０、および、走査信号線駆動ＬＳＩ７４が実装されたフィルム７３などに設けられた配線を用いて行われる。これらの電圧の供給には、液晶パネル１０に設けられたパネル内配線７７ａ〜ｄも用いられる。このように制御回路２０と走査信号線駆動回路３０を構成する４つの部分（各部分は１個の走査信号線駆動ＬＳＩ７４に含まれる）とは、パネル内配線７７ａ〜ｄなどを用いて直列に接続される。
【００６８】
パネル内配線７７ａ〜ｄは、制御回路２０から遠いほど太くなるように構成される。図９に示す例では、パネル内配線７７ａ〜ｄのうちで、パネル内配線７７ａが制御回路２０に最も近く、パネル内配線７７ｄが制御回路２０から最も遠い。そこで、パネル内配線７７ａには相対的に細い配線が使用され、パネル内配線７７ｄには相対的に太い配線が使用される。パネル内配線７７ｂ、７７ｃには、パネル内配線７７ａ、７７ｄの間の太さの配線が使用される。
【００６９】
このように本実施形態に係る液晶パネル１０には、制御回路２０と走査信号線駆動回路３０の各部分とを直列に接続するために、制御回路２０から遠いほど太くなるパネル内配線７７ａ〜ｄが設けられている。このため、制御回路２０から遠いパネル内配線の信号伝搬遅延は小さくなるので、走査信号線間で信号波形を揃えることができる。したがって、本実施形態に係る液晶表示装置によれば、走査信号線間で信号波形が異なるために表示画面の上下方向に発生するフリッカを防止することができる。
【００７０】
なお、ここまで第１〜第５の実施形態に係る液晶表示装置について説明してきたが、各実施形態に係る液晶表示装置の特徴を適宜組み合わせることができる。例えば、第１および第２の実施形態の特徴を有する液晶表示装置を得るためには、図４に示す傾斜制御部２２ｑにおいて、傾斜期間制御部５４にライン番号ＬＮに応じて傾斜期間の長さを切り替える機能を追加すればよい。また、第３および第４の実施形態の特徴を有する液晶表示装置を得るためには、図６に示す傾斜制御部２２ｒにおいて、（１）傾斜期間制御部６１に傾斜期間の長さを切り替える機能を追加し、（２）抵抗６３ａ〜ｄの抵抗値を抵抗６３ａ、６３ｂ、６３ｃ、６３ｄの順に大きくすればよい。これらの変形例に係る液晶表示装置では、走査信号線の信号波形が元々鈍る程度に応じて、傾斜期間の長さと傾斜付きハイレベル電圧が低下する速度の両方を好適に決定することにより、走査信号線間で信号波形を揃え、表示画面の上下方向に発生するフリッカを防止することができる。
【００７１】
また、第１〜第４の実施形態の特徴と第５の実施形態の特徴を有する液晶表示装置を得るためには、第１〜第４の実施形態に係る液晶表示装置において、制御回路２０から遠いほど太くなるパネル内配線を設けた液晶パネル１０を使用すればよい。
【００７２】
以上に示すように、本発明の各実施形態とその変形例に係る液晶表示装置によれば、走査信号線間で信号波形を揃え、走査信号線間で信号波形が異なるために表示画面の上下方向に発生するフリッカを防止することができる。
【図面の簡単な説明】
【００７３】
【図１】本発明の第１〜第５の実施形態に係る液晶表示装置の構成を示すブロック図である。
【図２】本発明の第１の実施形態に係る液晶表示装置に含まれる傾斜制御回路と走査信号線駆動回路の詳細を示す図である。
【図３】本発明の第１の実施形態に係る液晶表示装置の信号波形図である。
【図４】本発明の第２の実施形態に係る液晶表示装置に含まれる傾斜制御回路と走査信号線駆動回路の詳細を示す図である。
【図５】本発明の第２の実施形態に係る液晶表示装置の信号波形図である。
【図６】本発明の第３および第４の実施形態に係る液晶表示装置に含まれる傾斜制御回路と走査信号線駆動回路の詳細を示す図である。
【図７】本発明の第３の実施形態に係る液晶表示装置の信号波形図である。
【図８】本発明の第４の実施形態に係る液晶表示装置の信号波形図である。
【図９】本発明の第５の実施形態に係る液晶表示装置の実装形態を示す図である。
【図１０】液晶表示装置において走査信号線の信号波形が鈍る様子を示す図である。
【図１１】液晶表示装置に含まれる画素回路の等価回路図である。
【図１２】傾斜駆動で用いられる走査信号線の信号波形を示す図である。
【図１３】従来の液晶表示装置の実装形態を示す図である。
【図１４】傾斜駆動で用いられるハイレベル電圧を示す図である。
【符号の説明】
【００７４】
Ｇ１〜Ｇｍ…走査信号線
Ｓ１〜Ｓｎ…データ信号線
ＳＣ…傾斜制御信号
ＬＮ…ライン番号
１０…液晶パネル
１１…画素回路
２０…制御回路
２１…電源回路
２２…傾斜制御部
３０…走査信号線駆動回路
３１…シフトレジスタ
３２…アナログスイッチ
３３、７４…走査信号線駆動ＬＳＩ
４０…データ信号線駆動回路
５１、５４、６１…傾斜期間制御部
５２、５５、６２…スイッチ
５３、５６、６３…抵抗
５７…抵抗選択回路
７１…制御基板
７２…共通基板
７３、７５…フィルム
７６…データ信号線駆動ＬＳＩ
７７…パネル内配線
【図１】
2008145677.tif 000003
【図２】
2008145677.tif 000004
【図３】
2008145677.tif 000005
【図４】
2008145677.tif 000006
【図５】
2008145677.tif 000007
【図６】
2008145677.tif 000008
【図７】
2008145677.tif 000009
【図８】
2008145677.tif 000010
【図９】
2008145677.tif 000011
【図１０】
2008145677.tif 000012
【図１１】
2008145677.tif 000013
【図１２】
2008145677.tif 000014
【図１３】
2008145677.tif 000015
【図１４】
2008145677.tif 000016